(57)【要約】      （修正有）【課題】分類済みの真珠を自動的に収納し、真珠の収納効率を高めた真珠落下が停止させられない収納装置を提供する。【解決手段】回転軸１１と、回転軸１１につれて回転する円盤２とを有し、上記円盤２には、周方向に配設された落下孔が複数設けられ、上記各落下孔の下方にそれぞれ可動片５が取り付けられ、上記可動片５は円盤２の底部に回動可能に連結されるとともに引張りばね８が固着され、上記引張りばね８の他端が円盤２に固着され、上記円盤２の下方には、下板３が設けられ、各可動片の下方にある下板３の各位置には、いずれも上下変位可能な伸縮材７が設けられており、上記下板３には周方向に配設され、かつ落下孔と上下に対応する貫通孔が複数設けられ、上記各貫通孔はそれぞれガイドパイプを介して収納箱が連結されている。【選択図】図１
0003180134.tif 000002
【実用新案登録請求の範囲】
【請求項１】
回転軸（１１）と、回転軸（１１）につれて回転する円盤（２）とを有する真珠落下が停止させられない収納装置において、前記円盤（２）には、周方向に配設された落下孔（４）が複数設けられ、前記各落下孔（４）の下方にそれぞれ可動片（５）が取り付けられ、前記可動片（５）は円盤（２）の底部に回動可能に連結されるとともに引張りばね（８）が固着され、前記引張りばね（８）の他端が円盤（２）に固着され、前記円盤（２）の下方には、下板（３）が設けられ、各可動片の下方にある下板（３）の各位置には、いずれも上下変位可能な伸縮材（７）が設けられており、前記下板（３）には周方向に配設され、かつ落下孔と上下に対応する貫通孔（６）が複数設けられ、前記各貫通孔（６）はそれぞれガイドパイプを介して収納箱が連結されていることを特徴とする真珠落下が停止させられない収納装置。
【請求項２】
伸縮材（７）は電磁石伸縮材であることを特徴とする請求項１に記載の真珠落下が停止させられない収納装置。
【請求項３】
円盤（２）の上方には、上板（１）が設けられており、該上板（１）には、回転軸（１１）を駆動するためのモーター（９）が固定されていることを特徴とする請求項１又は２に記載の真珠落下が停止させられない収納装置。
【請求項４】
上板（１）には、平面視撮影切欠が設けられていることを特徴とする請求項３に記載の真珠落下が停止させられない収納装置。
【請求項５】
上板（１）には、検知器付きの真珠通り孔（１０）が設けられており、落下孔（４）が円盤の回転につれて真珠通り孔（１０）と重ねることは可能であることを特徴とする請求項３又は４に記載の真珠落下が停止させられない収納装置。
【請求項６】
円盤（２）の外周には、不動の外リングが設けられ、落下孔（４）は円盤側面の内陥没面と外リングの内側面とからなり、平面視撮影切欠の下方の外リングには、水平撮影口が開けられていることを特徴とする請求項４に記載の真珠落下が停止させられない収納装置。
【請求項７】
水平撮影口は光学ガラスに遮蔽されていることを特徴とする請求項６に記載の真珠落下が停止させられない収納装置。
【考案の詳細な説明】
【技術分野】
【０００１】
本考案は真珠収納装置に関し、特に、真珠落下において落下が停止させられない収納装置に関する。
【背景技術】
【０００２】
現在、真珠の選別、収納作業は、人力による操作にて行うことが多いため、効率が低く、人件費が高い弊害が存在されている。
【考案の概要】
【考案が解決しようとする課題】
【０００３】
本考案の目的は、以上の従来の技術における課題を解決するために、分類済みの真珠を自動的に収納し、真珠の収納効率を高めた真珠落下が停止させられない収納装置を提供することである。
【課題を解決するための手段】
【０００４】
上記目的を達成するために、本考案に係る真珠落下が停止させられない収納装置は、回転軸と、回転軸につれて回転する円盤とを有する真珠落下が停止させられない収納装置において、上記円盤には、周方向に配設された落下孔が複数設けられ、上記各落下孔の下方にそれぞれ可動片が取り付けられ、上記可動片は円盤の底部に回動可能に連結されるとともに引張りばねが固着され、上記引張りばねの他端が円盤に固着され、上記円盤の下方には、下板が設けられ、各可動片の下方にある下板の各位置には、いずれも上下変位可能な伸縮材が設けられており、上記下板には周方向に配設されるとともに落下孔と上下に対応する貫通孔が複数設けられ、上記各貫通孔はそれぞれガイドパイプを介して収納箱が連結されている。可動片は落下孔を閉鎖しており、真珠は、落下孔の上方から落下孔内に落下すると、可動片に位置し、回転軸により円盤を回転させ、真珠入りの落下孔が下板の対応する貫通孔と重ねようとする際、伸縮材は下方に伸長し、円盤とともに回転する可動片の側面に当接することになり、可動片を回動させ、当該可動片と対応する落下孔は開放されて、落下孔内の真珠は貫通孔内に落下して収納箱にガイドされ、つまり、他の真珠は上記落下孔の次の落下孔内に落下し、このように繰り返すことによって、真珠が自動的に収納箱に分類される効果は達成される。
【０００５】
伸縮材は伸長を０．３―０．５秒保持し、この際、真珠が落下すると、伸縮材は復帰して、可動片もそれとともに復帰する。落下孔は一つでもいいし、収納効率を上げるために複数であってもいい。一つずつフィードされると、対応する収納箱内に収納される。
【０００６】
以上の構造の改良と補充を達成するために、本考案はさらに以下の付加的な技術的特徴又はこれらの技術的特徴の任意の組合せを含む。
【０００７】
上記伸縮材は電磁石伸縮材であり、動作フローを制御しやすい。
【０００８】
上記円盤の上方には、上板が設けられており、当該上板には、回転軸を駆動するためのモーターが固定されており、駆動は確実であり、配設は合理的である。
【０００９】
上記上板には、平面視撮影切欠が設けられており、真珠を分類するように撮影装置が上から下へ真珠を撮影することに供される。
【００１０】
上記上板には、検知器付きの真珠通り孔が設けられており、上記落下孔が円盤の回転につれて真珠通り孔と重ねることは可能である。真珠が落下し真珠通り孔を通過する際、検知器はそれを検知すると、コントローラに送信する。モーターが一目盛分回転するようにコントローラにより制御されることによって、次の落下孔を真珠通り孔と上下に位置合わせさせる。
【００１１】
上記円盤の外周には、不動の外リングが設けられ、上記落下孔は円盤側面の内陥没面と外リングの内側面とからなり、平面視撮影切欠の下方の外リングには、水平撮影口が開けられており、外リングは回転軸につれて回転せず、平面視撮影と水平撮影とは、９０°をなしており、真珠外面の採集情報は、より完備であり、真珠をより正確に分類する。
【００１２】
上記水平撮影口は光学ガラスに遮蔽されており、真珠と開口との摩擦損傷を避けた。
【考案の効果】
【００１３】
本考案に係る真珠落下が停止させられない収納装置は、分類済みの真珠を自動的に収納することは可能であり、人力による操作に比べると、誤操作率やコストが低く、収納効率が高く、構造が合理的であり、運転が円滑であり、広範囲に適用可能である。
【図面の簡単な説明】
【００１４】
【図１】図１は本考案の構造模式図である。
【図２】図２は本考案の上板の構造模式図である。
【図３】図３は本考案の円盤の構造模式図である。
【図４】図４は図３の平面図である。
【図５】図５は本考案の下板の構造模式図である。
【符号の説明】
【００１５】
１―上板、２―円盤  、３―下板、４―落下孔、５―可動片、６―貫通孔、７―伸縮材、８―引張りばね、９―モーター、１０―真珠通り孔、１１―回転軸
【考案を実施するための形態】
【００１６】
次は、添付図面を参照しながら、実施形態とともに本考案をさらに説明する。
【００１７】
図１-５に示すように、本実施形態にかかる真珠連続落下の収納装置は、回転軸１１と、回転軸１１につれて回転する円盤２とを有しており、該円盤２には周方向に複数の落下孔４が配設され、上記各落下孔４の下方にそれぞれ可動片５が設けられ、当該可動片５は円盤２の下部に回転可能に連結されるとともに、引張りばね８が固着されている。当該引張りばね８は、他端が円盤２に固着されている。上記円盤２の下方に、下板３が設けられている。各可動片の下方に位置する下板３の各位置には、いずれも上下方向に変位可能な伸縮材７が取り付けられており、上記下板３には周方向に配設され、かつ上下に落下孔と対応する複数の貫通孔６が設けられている。上記各貫通孔６は、ガイドパイプを介して収納箱に連結されている。落下孔４の数は、必要に応じて決めることが可能である。線条が多すぎて図面を不明瞭に表示することを避けるために、図面１-５には構成部品はすべて図示されていない。例えば、図４にはそれぞれ開閉状態にある二つの可動片５は図示されており、引張りばね８は図示されていない。
【００１８】
上記伸縮材は、電磁石伸縮材である。上記円盤２の上方には、上板１が設けられており、回転軸１１を駆動するモーター９が上板１に固定されている。落下孔４内にある真珠を平面視撮影するために、上記上板には平面視撮影するための切欠が設けられている。上記円盤２の外周には、不動の外リングが設けられており、上記落下孔４は円盤側面の内陥没面と外リングの内側面とからなり、平面視撮影切欠下方に位置する外リングには、光学ガラスに遮蔽された水平撮影口が設けられている。
【００１９】
上記上板１には検知器付きの真珠通り孔１０が設けられ、上記落下孔４は円盤の回転にしたがって、真珠通り孔１０と重ねることが可能である。
【００２０】
動作過程は、以下の通りである。初期状態において、可動片５はそれぞれ落下孔４を閉鎖している。真珠は、真珠通り孔１０の上方から落下孔４にガイドされる。検知器が真珠の落下を検知すると、モーター９が回転し、円盤２はモーター９につれて回転する。真珠入りの落下孔４が下板３と対応する貫通孔６と重ねようとする際、伸縮材７は下方に伸長し、円盤２につれて回転する可動片５に当接することになり、可動片５を回転させる。すると、当該可動片５と対応する落下孔４は開放されて、落下孔４内の真珠は貫通孔６に落下して収納箱にガイドされた。次に他の真珠は上記落下孔の次の落下孔内に落下し、このように繰り返すことによって、真珠が自動的に収納箱に分類される効果が得られる。
【図１】
0003180134.tif 000003
【図２】
0003180134.tif 000004
【図３】
0003180134.tif 000005
【図４】
0003180134.tif 000006
【図５】
0003180134.tif 000007